【事件の表示】
　特願２０１８−　８９９９７「宝飾箱」拒絶査定不服審判事件〔未公開、請求項の数（３）〕について、次のとおり審決する。
【結　論】
　原査定を取り消す。
　本願の発明は、特許すべきものとする。
【理　由】
第１　手続の経緯  
　本願は、平成３０年５月８日に出願されたものであって、同年５月１４日に早期審査に関する事情説明書が提出され、同年６月１５日付けで拒絶理由が通知され、同年７月２７日に意見書及び手続補正書が提出されたが、同年８月２２日付けで拒絶査定がされ、それに対して同年９月２８日に拒絶査定不服審判が請求されるとともに、手続補正書及び早期審理に関する事情説明書が提出され、平成３０年１１月２２日付けで前置報告がされたものである。  
  
第２　原査定の概要  
・原査定（平成３０年８月２２日付け拒絶査定）の概要
　本願の請求項１ないし３に係る発明は、引用文献１、２に記載された発明に基いて、当業者が容易に発明をすることができたものであるから、特許法第２９条第２項の規定により、特許を受けることができない。
引用文献等一覧
１.特開２００１−２１１９２２号公報
２.登録実用新案第３１７０４８５号公報
第３　本願発明  
　本願の請求項１ないし３に係る発明（以下、「本願発明１」ないし「本願発明３」という。）は、平成３０年９月２８日提出の手続補正書により補正された明細書及び特許請求の範囲並びに出願当初の図面からみて、その特許請求の範囲の請求項１ないし３に記載された事項により特定される以下のとおりのものである。  
 　  
「　　【請求項１】
　下箱体と、
　前記下箱体に支持されて、青色蛍光性を有するダイヤモンドと、
　前記下箱体にヒンジで開閉自在に連結されて、閉じ位置で前記下箱体に合わさって前記ダイヤモンドを隠し、開き位置で前記ダイヤモンドを露出する上箱体と、
　前記下箱体および前記上箱体に接続されて、前記開き位置に向かって前記上箱体を駆動するばね部材と、
　前記下箱体または前記上箱体に支持されて、前記上箱体が前記開き位置に達した後に予め決められた時間が経過すると前記ダイヤモンドに向かって紫外線を照射する光源と、
を備えることを特徴とする宝飾箱。
　　【請求項２】
　請求項１に記載の宝飾箱において、前記光源は、徐々に光量を増加させながら前記ダイヤモンドに前記紫外線を照射することを特徴とする宝飾箱。
　　【請求項３】
　請求項１または２に記載の宝飾箱において、前記下箱体に嵌め込まれて、表面に布材を有する緩衝材を備え、前記光源は、前記紫外線を含む透明な光線を放出することを特徴とする宝飾箱。」 
第４　引用文献、引用発明等 
１．引用文献１（特開２００１−２１１９２２号公報）について  
　原査定の理由に引用された上記引用文献１には、「宝石箱」に関して、図面とともに次の事項が記載されている（下線は、理解の一助のために当審が付与したものである。）。  
 　  
 （１）引用文献１の記載事項  
ア．「【請求項１】  ケース本体と、このケース本体の縁部に連結され、該ケース本体に対して一定角度開く上蓋と、前記ケース本体あるいは上蓋の少なくともいずれか一方に配置され、
上蓋の開閉に応じてケース本体の内側面に対して紫外線を照射する紫外線照射手段
イ．【０００１】
【発明の属する技術分野】本発明は、宝石箱、特に紫外線照射により特殊な蛍光を発して所定の表示をするダイヤモンドを適宜配置した装飾品を収納する宝石箱に関する。」 
  
ウ．「【００１３】図中の付番１は宝石箱を示す。
この宝石箱１は、ケース本体２と、このケース本体２の縁部と連結部材３を介して連結する上蓋４と、上蓋４の内側に設置された紫外線ランプ（紫外線照射手段）５とを備えている。
【００１４】
前記ケース本体２の内側には、上部に溝１０を有した宝飾品用支持部材１１が収納されている。この支持部材１１の溝部分には、例えば指輪１２が固定されている。この指輪１２は、図２に示すように、紫外線１５の照射により蛍光例えば青白色な光を発する多数のダイヤモンド１３からなる第１の群と、紫外線の照射により蛍光を発しない多数のダイヤモンド１４からなる第２の群を、固定金具１５に適宜配置した構成となっている。
【００１５】こうした構成の宝石箱によれば、上蓋４に紫外線ランプ５とスイッチ６と電源７を備えた紫外線照射機構を具備した構成になっているため、
上蓋４を開いた時、スイッチ６が“ＯＮ”して紫外線ランプ５が点灯し、ケース本体２の内側，特にこのケース本体２に収納された指輪１２に紫外線１５を照射することができる。そして、紫外線１５を照射された第１の群を構成するダイヤモンド１３からは青白色な光が発せられる
  
エ．上記ア．、ウ．及び図１の記載から、上蓋４は、ケース本体２に連結部材３を介して開閉自在に連結されて、閉じ位置で前記ケース本体２に合わさってダイヤモンド１３を隠し、開き位置で前記ダイヤモンド１３を露出するものであることが明らかである。
  
オ．上記ウ．及び図１の記載から、紫外線ランプ５は、ダイヤモンド１３に向かって紫外線を照射するものであることが明らかである。
（２）引用発明  
　上記（１）及び図面からみて、引用文献１には以下の発明（以下、「引用発明」という。）が記載されている。  
 　  
「ケース本体２と、
　前記ケース本体２に収納された宝飾品用支持部材１１に固定されて、蛍光例えば青白色な光を発する多数のダイヤモンド１３と、
　前記ケース本体２に連結部材３を介して開閉自在に連結されて、閉じ位置で前記ケース本体２に合わさって前記ダイヤモンド１３を隠し、開き位置で前記ダイヤモンド１３を露出する上蓋４と、
　前記上蓋４の内側に設置されて、上蓋４が開いた時スイッチ６がＯＮして、前記ダイヤモンド１３に向かって紫外線を照射する紫外線ランプ５と、
を備える宝石箱１。」　  
 　  
２．引用文献２（登録実用新案第３１７０４８５号公報）について  
（１）原査定の理由に引用された上記引用文献２には、「宝石箱用照明具」に関して、図面とともに次の事項が記載されている。  
 　  
ア．「【００１９】
　
宝石箱１は、ペンダントヘッドや指輪等の宝石Ｐを収納する箱本体２と、箱本体２にヒンジ５を介して連結され、上開きで開く上蓋６とを備えて構成されている。
上蓋６は
宝石箱用照明具１０を取り付けることとなる。
イ．「【００２１】
　ランプユニット１１は、図６に示すように、電力供給時に発光するＬＥＤ１２、電池１３、オン操作時に電池１３の電力を供給してＬＥＤ１２を発光させるスイッチ１４、及び、抵抗１５、を具備して構成されている。ＬＥＤ１２は、白色光の集光タイプとしており、発光時に、スポットライトのように、宝石Ｐを照らすこととなる。電池１３は、ボタン電池が使用されている。スイッチ１４は、Ｂ接点タイプのマイクロスイッチが使用されており、操作レバー１４ａが、宝石箱１の周壁部４の当接部４ａと当接している時には、オフ操作され、宝石箱１の周壁部４の当接部４ａから離れた際に、オン操作される。」
ウ．「【００２５】
　そして、このクリップ２０は、前壁８ａに取り付けた状態において、宝石箱１の上蓋６を開いた際にスイッチ１４をオン操作させるように配置でき、かつ、図１，２に示すように、上蓋６を全開位置まで開けた際に、宝石Ｐを照らす位置に発光時のＬＥＤ１２を配置できるように、構成されている。」
エ．「【００３５】
　また、実施形態の
宝石箱用照明具１０のランプユニット１１において、
スイッチ１４のオン操作から１〜２秒程度遅れてＬＥＤ１２を発光させるオンディレイ回路１６、を設けて構成してもよい。
【００３６】
　このような構成では、
宝石箱１の上蓋６を開けた後に、１〜２秒程度、遅れてＬＥＤ１２が発光する。
このような宝石箱用照明具１０では、上蓋６を完全に開けた後に、宝石Ｐが照らされて輝くことができて、贈られた側を、一層、ドラマチックに喜ばせることができる。
（２）引用文献２技術  
　上記（１）及び図面からみて、引用文献２には以下の技術（以下、「引用文献２技術」という。）が記載されている。  
「箱本体２と、前記箱本体２に収納される宝石Ｐと、箱本体２にヒンジを介して連結される上蓋６と、上蓋６に取り付けられた宝石箱用照明具１０のランプユニット１１と、を備えた宝石箱において、宝石箱用照明具１０のランプユニット１１は、宝石箱１の上蓋６を開けた後に、１〜２秒程度遅れて発光することで、上蓋６を完全に開けた後に、宝石Ｐが照らされて輝くことができて、贈られた側を一層ドラマチックに喜ばせることができる技術。」
３．引用文献３（特開２００７−１９０１２７号公報）について  
　前置報告書において引用された上記引用文献３には、「アクセサリーボックス」に関して、図面とともに次の事項が記載されている。  
 　  
「【００１１】
　図１はボックス蓋体の閉鎖状態で示す，本発明に係るアクセサリーボックスの縦断側面図，図２はボックス蓋体の開放状態で示す同アクセサリーボックスの縦断側面図，図３は支持台及び化粧天板を取り外してアクセサリーボックス内の照明ランプ及びその電気回路を示す正面図，図４は上記電気回路の分解図である。
【００１２】
　先ず図１及び図２において，アクセサリーボックスＢは，上面を開放したボックス本体１と，このボックス本体１に左右一対のヒンジ３を介して結合されてボックス本体１の開口部を開閉するボックス蓋体２とを備える。これらボックス本体１及びボックス蓋体２の形状は任意であるが，図示例の場合，平面視でハート形に形成される。
【００１３】
　図１〜図４に示すように，各ヒンジ３は，ボックス本体１及びボックス蓋体２の相対応する一側縁部にそれぞれ固着される第１ヒンジアーム４及び第２ヒンジアーム５と，両ヒンジアーム４，５を相対回動可能に連結するヒンジピン６とで構成され，両ヒンジアーム４，５間にはトグルスプリング７が接続される。
【００１４】
　
このトグルスプリング７は，自由状態でヒンジピン６を跨ぐようにＵ字状をなしていて，ボックス蓋体２の所定の中間開度を境にして，ボックス蓋体２が閉じ側に位置するときは，それを閉じ方向に付勢し，ボックス蓋体２が開き側に位置するときは，それを開き方向に付勢するようになっている。
４．引用文献４（特開２００２−２４５８４４号公報）について  
　前置報告書において引用された上記引用文献４には、「浴室の演出照明装置」に関して、図面とともに次の事項が記載されている。  
 　  
ア．「【０００４】
【実施例】以下、本発明の実施例を図面に基づいて説明する。図１は、浴室の斜視構成図であり、浴室１内に設置された浴槽２の側壁面には、２個の水中照明３，３が設けられており、この水中照明３は、図２に示すように、浴槽２内の水中に没する側壁面部位に設けられた透光窓３ａ，３ａを通してＬＥＤの光を浴槽２の水中内に照射することができ、浴槽２内の水中をＬＥＤからの光で良好に演出照明できるように構成したものであり、例えば、青の光を発する青色のＬＥＤと、赤色の光を発する赤色のＬＥＤと、緑色の光を発する緑色のＬＥＤで水中照明３は構成されている。」 
イ．「【００１０】また、浴室１内で身体を洗う際等には、リモコン８の標準スイッチ１０がＯＮされ、
この標準スイッチ１０がＯＮされると、水中照明３が消灯され、制御ボックス６を介して第１室内照明４，４が暗い状態から徐々に明るさを増して１００％の全灯状態となり、第１室内照明４，４が全灯状態となった時に、第２室内照明５が点灯され、浴室１内を明るく照らすことができるものとなる。
【００１１】なお、この状態で、リモコン８の調光用のダウンスイッチ１４が操作されると、第１室内照明４，４は操作に伴って明るさを低下させてゆくが、第１室内照明４，４が全灯状態から少しでも明るさを低下させた時には、第２室内照明５が制御ボックス６を介し自動的に消灯されて、浴室１内を薄暗く落ち着いた環境にすることができるものである。また逆に、
調光用アップスイッチ１３が操作されると、第１室内照明４，４は徐々に明るさを増してゆき、第１室内照明４，４が１００％の全灯状態に達した時に、自動的に第２室内照明５が点灯されて、浴室１内を明るく照明することができるものである。
【００１２】このように本例では、水中照明３を作動させる時に、リモコン８のクールスイッチ１１またはウォームスイッチ１２を操作するだけで、第１室内照明４の明るさを低下させ、また第２室内照明５を消灯させることができ、煩わしい操作を行なうことなく自動的に浴室１内が暗くされて、良好な演出効果が得られるものである。さらに調光用のアップスイッチ１３またはダウンスイッチ１４を操作することで、第１室内照明４の明るさの増減に連動させて第２室内照明５を消灯または点灯させることができ、煩わしい操作をすることなく浴室の室内照明を良好に制御できるものである。」
  
５．引用文献５（特開２００９−２６６６７２号公報）について  
　前置報告書において引用された上記引用文献５には、「照明装置」に関して、図面とともに次の事項が記載されている。  
 　  
ア．「【０００１】
　本発明は、室内の壁面を照らす壁面照明やショーウインドウに飾られる被写体を照らすショーウインドウ照明や屋外のビル等の壁面を照らす屋外照明に使用される照明ユニットの一部に紫外線ランプを搭載し、被写体をその照明により演出する照明装置に関するものである。」
イ．「【０００６】
　本課題を解決するために請求項１記載の本発明は、紫外線（ＢＬＡ）を放射する紫外線ランプ（紫外線ランプ１１、例えば、ＬＥＤ・ＥＥＦＬ・蛍光管、電球）および可視光線（ＣＯＯ・ＣＹＹ）であって有彩色（オレンジ色、黄色、例えば青、緑、紫、赤、ピンク、蛍光灯色等）を放射する可視光線ランプ（可視光線ランプ１２・１３のいずれか一つであってもよい、その他可視光線ランプには例えば、ＬＥＤ・ＥＥＦＬ・蛍光管、電球）を一つのユニットに収容するとともに、被写体（５・６、例えばおもちゃ・壁面・衣服・鞄等）を照射するように構成された照明ユニット（照明ユニット１０）と、当該照明ユニット（照明ユニット１０）に接続され前記紫外線ランプおよび前記可視光線ランプの照度を制御する制御部（制御部４０）とを備えた照明装置（照明装置１）であって、
前記制御部は、各ランプ（紫外線ランプ１１及び可視光線ランプ１２・１３、可視光線ランプはいずれか一つであってもよい）の照度を時間に伴い制御するパターンが記憶されたパターンデータ（パターンデータ２５）と、当該パターンデータ（パターンデータ２５）に基づいて各ランプ（紫外線ランプ１１及び可視光線ランプ１２・１３、可視光線ランプはいずれか一つであってもよい）の照度を制御する制御コントローラ（制御コントローラ２０）と、を設け、前記パターンデータ（パターンデータ２５）は、前記各ランプ（紫外線ランプ１１及び可視光線ランプ１２・１３、可視光線ランプはいずれか一つであってもよい）の照度を暗い照度から明るい照度へ徐々に移行させるフェードイン手段（フェードイン手段２６）と、
【０００７】
  以上の構成により、照明装置は紫外線ランプや可視光線ランプを時々刻々と被写体に与える光の照度を変化させることができるので、紫外線ランプの放射により被写体が発光し白く鮮やかに見えたり、鮮やかな白が今度は徐々に薄れ、可視光線ランプの光りの色が現れて来たりと、被写体に与える色の演出を様々に楽しむことができる。
  可視光線ランプは、いずれか一つであっても本実施形態を実現できるが、複数である場合には多色の色を放射することができるので、多彩な演出ができなおよい。」
  
第５　対比・判断 
１．本願発明１について　  
　本願発明１と引用発明とを対比する。  
　引用発明における「ケース本体２」は、その機能、構成及び技術的意義からみて、本願発明１における「下箱体」に相当し、以下同様に、「収納された宝飾品用支持部材１１に固定されて」は「支持されて」に、「蛍光例えば青白色な光を発する」は「青色蛍光性を有する」に、「多数のダイヤモンド１３」あるいは「ダイヤモンド１３」は「ダイヤモンド」に、「上蓋４」は「上箱体」に、「前記上蓋４の内側に設置され」ることは「前記下箱体または前記上箱体に支持され」ることに、「紫外線ランプ５」は「光源」に、「宝石箱１」は「宝飾箱」にそれぞれ相当する。
　また、引用発明における「連結部材３を介して」連結されることと、本願発明１における「ヒンジで」連結されることとは、「連結部材を介して」連結されることという限りにおいて一致する。
　したがって、両者の一致点、相違点は以下のとおりである。  
 　  
［一致点］  
　下箱体と、
　前記下箱体に支持されて、青色蛍光性を有するダイヤモンドと、
　前記下箱体に連結部材を介して開閉自在に連結されて、閉じ位置で前記下箱体に合わさって前記ダイヤモンドを隠し、開き位置で前記ダイヤモンドを露出する上箱体と、
　前記下箱体または前記上箱体に支持されて、前記ダイヤモンドに向かって紫外線を照射する光源と、
を備える宝飾箱。」 
 　  
［相違点１］  
「連結部材を介して」連結されることに関して、
　本願発明１においては、「ヒンジで」連結されることであるのに対し、
　引用発明においては、連結部材３を介して連結されることである点。  
［相違点２］  
  本願発明１においては、「前記下箱体および前記上箱体に接続されて、前記開き位置に向かって前記上箱体を駆動するばね部材」を備えるのに対し、
　引用発明においては、かかるばね部材を備えるか否か明らかではない点。
［相違点３］  
　本願発明１においては、光源が「前記上箱体が前記開き位置に達した後に予め決められた時間が経過すると」ダイヤモンドに向かって紫外線を照射する光源であるのに対し、
　引用発明においては、光源が、上蓋４が開いた時スイッチがＯＮして、ダイヤモンド１３に向かって紫外線を照射する紫外線ランプ５である点。 
 　  
　事案に鑑み、上記相違点３について検討する。  
　引用文献２には、箱本体２と、箱本体２に収納される宝石Ｐと、箱本体２にヒンジを介して連結される上蓋６と、上蓋６に取り付けられた宝石箱用照明具１０のランプユニット１１と、を備えた宝石箱の記載があり、特に、宝石箱用照明具１０のランプユニット１１は、宝石箱１の上蓋６を開けた後に、１〜２秒程度、遅れて発光することで、上蓋６を完全に開けた後に、宝石Ｐが照らされて輝くことができて、贈られた側を一層ドラマチックに喜ばせることができるものである。
　しかしながら、引用発明と引用文献２技術とは、対象となる宝石が、引用発明においてはダイヤモンド１３であるのに対し、引用文献２技術においては宝石Ｐであり、また、宝石に照射する光源が、引用発明においては紫外線ランプ５であるのに対し、引用文献２技術においては宝飾箱用照明具１０のランプユニット１１であり、両者は対象となる宝石及び宝石を照射する光源の前提が異なるから、直ちに引用発明に引用文献２技術を適用することはできるものではない。
　そして、本願発明１の「青色蛍光性を有するダイヤモンド」及び「ダイヤモンドに向かって紫外線を照射する光源」を備えることを前提として、光源が「前記上箱体が前記開き位置に達した後に予め決められた時間が経過すると」ダイヤモンドに向かって紫外線を照射するという技術事項は、引用文献１及び引用文献２のいずれにも記載も示唆もされておらず、本願発明１は、かかる事項により、引用文献１及び引用文献２の記載事項から予測し得ない「上箱体１３の開放後しばし透明に輝くダイヤモンド粒２３が観察された後に、ダイヤモンド粒２３は透明から青色に変色する。こうして上箱体１３の開放動作に応じて光の演出効果は作り出される。この演出効果で宝飾箱１１の観察者に他にはない感動を引き起こすことができる。（本願明細書段落【００３０】）」という効果を奏するものである。
　さらに、引用文献３ないし５の記載事項を検討しても、何れの文献も相違点３に係る本願発明１の発明特定事項を開示又は示唆する記載はない。
　したがって、上記相違点１及び２について検討するまでもなく、本願発明１は、引用発明、引用文献２技術及び引用文献３ないし５の記載事項に基いて当業者が容易に発明をすることができたものとはいえない。  
２．本願発明２及び３について 
　本願発明２も、本願発明１の「「前記上箱体が前記開き位置に達した後に予め決められた時間が経過すると」ダイヤモンドに向かって紫外線を照射する光源」と同一の発明特定事項を備えるものであるから、本願発明１と同様の理由により、当業者であっても、引用発明、引用文献２技術及び引用文献３ないし５の記載事項に基いて、容易に発明をすることができたものとはいえない。 
 　  
第６　原査定について
　原査定時の（すなわち、平成３０年７月２７日の手続補正により補正された）請求項１に係る発明は、上記相違点３に係る本願発明１の発明特定事項を含むものであるから、上記「第５」で検討したとおり、当業者であっても、原査定の理由において引用された引用発明、引用文献２技術に基いて容易に発明をすることができたものとはいえない。 
　したがって、原査定の理由を維持することはできない。  
第７　むすび  
　以上のとおり、本願の請求項１ないし３に係る発明は、引用発明、引用文献２技術及び引用文献３ないし５の記載事項に基いて当業者が容易に発明をすることができたものではないから、原査定の理由によっては、本願を拒絶することはできない。  
　また、他に本願を拒絶すべき理由を発見しない。  
　よって、結論のとおり審決する。